(57)【要約】【課題】広い部屋や廊下、或いは壁と家具の間の狭い箇所の掃除において、掃除スペースに応じた吸引部を使用することにより、労力の軽減と掃除時間の短縮を図ることを目的とする電気掃除機用吸引部を提供する。【解決手段】上板２を中板３の開口部に回転動を可能とするジョイント６を介して設け、吸引パイプ７ｂ及び中程に蛇腹パイプ１０ａ、１０ｂを有する吸引パイプ７ａ、７ｃのそれぞれの片方を底板４に設けた複数の吸引口用の開口部に配設し、もう片方は上板２に設けたそれぞれ用の開口部に回転動を可能とするジョイント８ａ、８ｂ、８ｃを介して配設する。さらに、中板３には留具雄１１、上板２には留具雌１２ａ、１２ｂをそれぞれ設け、吸引部ネック５を上板２の上部に設けたことを特徴とする。【選択図】  図１
2004283539.tif 000002
【特許請求の範囲】
【請求項１】
上板２を中板３の開口部に回転動を可能とするジョイント６を介して設け、吸引パイプ７ｂ及び中程に蛇腹パイプ１０ａ、１０ｂを有する吸引パイプ７ａ、７ｃのそれぞれの片方を底板４に設けた複数の吸引口用の開口部に配設し、もう片方は上板２に設けたそれぞれ用の開口部に回転動を可能とするジョイント８ａ、８ｂ、８ｃを介して配設し、中板３には留具雄１１、上板２には留具雌１２ａ、１２ｂを設け、吸引部ネック５を上板２の上部に設けた電気掃除機用吸引部。
【請求項２】
上板２を中板３の開口部に回転動を可能とするジョイント６を介して設け、吸引パイプ７ｂ及び露出部分に蛇腹パイプ１０ａ、１０ｂを有する吸引パイプ７ａ及び７ｃのそれぞれの片方を底板４に設けた複数の吸引口用の開口部に配設し、吸引パイプ７ｂのもう片方は上板２に設けた開口部に回転動を可能とするジョイント８ｂを介して配設し、露出部分に蛇腹パイプ１０ａ、１０ｂを有する吸引パイプ７ａ及び７ｃのもう片方は吸引部ネック５に対して回転動を可能とするジョイント８にそれぞれ配設し、中板３には留具雄１１、上板２には留具雌１２ａ、１２ｂをそれぞれ設け、吸引部ネック５を上板２の上部に設けることを特徴とする請求項１の電気掃除機用吸引部。
【発明の詳細な説明】
【０００１】
【発明の属する技術分野】
本発明は、電気掃除機による掃除において、労力の軽減及び掃除時間の短縮を図るために吸引部に複数の吸引口を設け、上板を軸に吸引部ヘッドを回転動させることを特徴とする電気掃除機用吸引部に関するものである。
【０００２】
【従来の技術】
従来には、吸引力を上げる場合には吸引部内に回転式ブラシなどの装置が使用されている。（例えば特許文献１参照）
また、家具の間のような狭い個所や部屋の隅を掃除する場合には中折れ型の吸引部が使用されている。（例えば特許文献２参照）
【０００３】
【特許文献１】
特開２００３−０００４８０号公報
【特許文献２】
特開２０００−０７９０８０号公報
【０００４】
【発明が解決しようとする課題】
上述した従来の技術においては、より多くの埃を吸い上げるために吸引部内にブラシを設けたり掃除機本体のモーターの能力を上げたりする等の努力を行なって来たが、所詮、吸引部に設けた一箇所だけの吸引口が埃を吸い込む幅には限りがあり、吸引能力を上げても吸引口付近の吸引力が集中的に強まるだけの事であった。
その為、広い部屋や廊下を掃除する場合においても限られた幅の吸引部を数多く往復させなければならない等大変な労力と時間を要し、逆に、壁と家具の間など吸引部の幅より少しでも狭い箇所を掃除する場合にはいちいち吸引部を取り外したり専用ノズルに交換するなど、日常業務である主婦にとっては相当な負担となっている。
【０００５】又、絨毬やカーペットの毛に強く絡まった髪の毛や糸くずは、吸い上げる力だけではなかなか取れない場合があるため結局は専用の粘着式のものに頼らざるを得なく、それに短い周期で掃除をする家庭やホテル・旅館・商業店舗においては吸引口に詰まる位の大きな埃が発生する訳でもなく、一箇所だけの吸引口に対する必要以上の吸引力や吸引口の大きさは不要とも言える事になる。
【０００６】本発明は、以上の点に鑑み、主婦の日常業務の負担となっている掃除という労働において、広い部屋や廊下、或いは壁と家具の間などの狭い箇所など、掃除スペースに対応する吸引部を提供することにより労力の軽減と掃除時間の短縮を図ることを目的とする電気掃除機用吸引部に関するものである。
【０００７】
【課題を解決するための手段】
上記課題を解決するため、本発明を後述の参照符号にて対応させると、上板２を中板３の開口部に回転動を可能とするジョイント６を介して設け、吸引パイプ７ｂ及び中程に蛇腹パイプ１０ａ、１０ｂを有する吸引パイプ７ａ、７ｃのそれぞれの片方を底板４に設けた複数の吸引口用の開口部に配設し、もう片方は上板２に設けたそれぞれ用の開口部に回転動を可能とするジョイント８ａ、８ｂ、８ｃを介して配設する。さらに、中板３には留具雄１１、上板２には留具１２ａ、１２ｂをそれぞれ設け、吸引部ネック５を上板２の上部に設ける。
本発明は、以上の構成からなる電気掃除機用吸引部。
【０００８】
【発明の実施の形態】
以下、本発明の実施の形態について説明すると、図１は本発明の電気掃除機用吸引部の第１実施形態の斜視図で、円形の上板２を中板３の円形の開口部に回転動を可能とするジョイント６を介して設け、吸引パイプ７ｂ及び中程に蛇腹パイプ１０ａ、１０ｂを有する吸引パイプ７ａ、７ｃのそれぞれの片方を底板４に設けた複数の吸引口用開口部に配設し、もう片方は上板２に設けたそれぞれ用の開口部に回転動を可能とするジョイント８ａ、８ｂ、８ｃを介して配設する。さらに、中板３の大きく円形に切り抜いた部分に留具雄１１を、そして、これを受け止める形で上板２には留具雌１２ａ、１２ｂをそれぞれ設け、吸引部ネック５を上板２の上部に設ける。
【０００９】
本発明は上記のような構造で、これを使用する時は掃除機本体の連通管１５に吸引部ネック５を接続し、部屋や廊下などの比較的広いスペースで使用する場合においては、上板２を軸とし、吸引部ヘッド１を水平に右回転動させて留具雄１１を留具雌１２ａに噛み込ませることでフロント面１３が掃除動作の進行方向にセットされ、吸引部ヘッド１を前後に動作させることで底板４に複数設けた吸引口９ａ、９ｂ、９ｃにより広い幅に渡って埃が吸い込まれ、掃除機本体に送られる。
【００１０】
図３は第２実施形態の斜視図で、壁と家具の間などの狭い箇所で使用する場合においては、上板２を軸とし、吸引部ヘッド１を水平に左回転動させて留具雄１１を留具雌１２ｂに噛み込ませることでサイド面１４が掃除動作の進行方向にセットされ、吸引部ヘッド１を前後に動作させることで底板４に複数設けた吸引口９ａ、９ｂ、９ｃにより重複して埃が吸い込まれ、掃除機本体に送られる。
【００１１】
図５は第３実施形態の斜視図で、後述の参照符号にて対応させると、上板２を中板３の開口部に回転動を可能とするジョイント６を介して設け、吸引パイプ７ｂ及び露出部分に蛇腹パイプ１０ａ、１０ｂを有する吸引パイプ７ａ及び７ｃのそれぞれの片方を底板４に設けた複数の吸引口用の開口部に配設し、吸引パイプ７ｂのもう片方は上板２に設けた開口部に回転動を可能とするジョイント８ｂを介して配設し、露出部分に蛇腹パイプ１０ａ、１０ｂを有する吸引パイプ７ａ及び７ｃのもう片方は吸引部ネック５に対して回転動を可能とするジョイント８にそれぞれ配設する。さらに、中板３には留具雄１１、上板２には留具雌１２ａ、１２ｂをそれぞれ設け、吸引部ネック５を上板２の上部に設ける。
【００１２】
第３実施形態は上記のような構造で、これを使用する時は掃除機本体の連通管１５に吸引部ネック５を接続し、部屋や廊下などの比較的広いスペースで使用する場合においては、上板２を軸とし、吸引部ヘッド１を水平に右回転動させて留具雄１１を留具雌１２ａに噛み込ませることでフロント面１３が掃除動作の進行方向にセットされ、吸引部ヘッド１を前後に動作させることで底板４に複数設けた吸引口９ａ、９ｂ、９ｃにより広い幅に渡って埃が吸い込まれ、掃除機本体に送られる。
【００１３】
図６は第４実施形態の斜視図で、壁と家具の間などの狭い箇所で使用する場合においては、上板２を軸とし、吸引部ヘッド１を水平に左回転動させて留具雄１１を留具雌１２ｂに噛み込ませることでサイド面１４が掃除動作の進行方向にセットされ、吸引部ヘッド１を前後に動作させることで底板４に複数設けた吸引口９ａ、９ｂ、９ｃにより重複して埃が吸い込まれ、掃除機本体に送られる。
【００１４】
【発明の効果】
以上説明したように、本発明の電気掃除機用吸引部は、底板に複数の吸引口を設けるため掃除機本体の吸引能力次第では広いスペース用として吸引部ヘッドの幅を幾らでも広く調整が可能であると共に、吸引部ヘッドの向きの調整により壁と家具の間の狭い箇所も吸引部を交換することなく対応出来るため、吸引部を前後に掃除動作させる回数や吸引部交換という労力の軽減と掃除時間の短縮にも繋がる事から、主婦の３大日常業務である掃除・炊事・洗濯の中で唯一自動化・タイマー化が効かず、労力と切り離すことの出来ていない分野に対する一つの合理化策と言える。
その為、一般家庭は勿論のこと、毎日毎日広い部屋・広いスペースを掃除しなければならないホテルや旅館・商業店舗などにとっては無駄な労力や無駄な時間こそ無駄な経費であり、これらの削減策の一つとして適していると言える。
【図面の簡単な説明】
【図１】本発明による電気掃除機用吸引部の第１実施形態を示す斜視図である。
【図２】本発明による電気掃除機用吸引部の第１実施形態を示す平面図である。
【図３】本発明による電気掃除機用吸引部の第２実施形態を示す斜視図である。
【図４】本発明による電気掃除機用吸引部の第２実施形態を示す平面図である。
【図５】本発明による電気掃除機用吸引部の第３実施形態を示す斜視図である。
【図６】本発明による電気掃除機用吸引部の第４実施形態を示す斜視図である。
【符号の説明】
１  吸引部ヘッド
２  上板
３  中板
４  底板
５  吸引部ネック
６  ジョイント
７ａ、７ｂ、７ｃ  吸引パイプ
８  ジョイント
８ａ、８ｂ、８ｃ  ジョイント
９ａ、９ｂ、９ｃ  吸引口
１０ａ、１０ｂ  蛇腹パイプ
１１  留具雄
１２ａ、１２ｂ  留具雌
１３  フロント面
１４  サイド面
１５  連通管
【図１】
2004283539.tif 000003
【図２】
2004283539.tif 000004
【図３】
2004283539.tif 000005
【図４】
2004283539.tif 000006
【図５】
2004283539.tif 000007
【図６】
2004283539.tif 000008